(57)【要約】【課題】電線の束を結束する結束部材を周方向に位置決めすることが可能な電線カバーを提供する。【解決手段】ハウジング３０の後面側に装着されて前記ハウジング３０の後面から引き出された電線３１の束を所定の方向に引き出させる電線カバー１０であり、前記電線３１の束に巻き付くバンド部４１と前記バンド部４１を所定の位置でロックするロック部４２とを有する結束部材４０によって前記電線３１の束が固定されるものであり、前記バンド部４１が、前記ロック部４２の外面のうち第１面４６から延出するとともに前記ロック部４２の外面のうち第２面４７から内部に挿入されてロックされるものとされ、前記ロック部４２の第１面４６に当接可能な第１位置決め部２４と、前記ロック部４２の第２面４７に当接可能な第２位置決め部２５と、を備えている。【選択図】図９
2017059421.tif 000002
【特許請求の範囲】
【請求項１】
ハウジングの後面側に装着されて前記ハウジングの後面から引き出された電線の束を所定の方向に引き出させる電線カバーであり、
前記電線の束に巻き付くバンド部と前記バンド部を所定の位置でロックするロック部とを有する結束部材によって前記電線の束が固定されるものであり、
前記バンド部が、前記ロック部の外面のうち第１面から延出するとともに前記ロック部の外面のうち第２面から内部に挿入されてロックされるものとされ、
前記ロック部の第１面に当接可能な第１位置決め部と、前記ロック部の第２面に当接可能な第２位置決め部と、
を備えている電線カバー。
【請求項２】
前記結束部材の通り道であるバンド通道部が、前記バンド部を前記ロック部の内部に案内するように傾斜した案内面を有している請求項１に記載の電線カバー。
【請求項３】
前記結束部材の通り道であるバンド通道部に、前記バンド部を通す全周閉じた孔部が設けられている請求項１または請求項２に記載の電線カバー。
【請求項４】
前記ロック部の前記第１面または前記第２面が方形状をなし、前記第１位置決め部または前記第２位置決め部が、前記第１面または前記第２面の周縁部のうち略直角をなす２つの縁部に当接可能なＬ字形状をなしている請求項１ないし請求項３のいずれか一項に記載の電線カバー。
【請求項５】
前記第１位置決め部または前記第２位置決め部が、前記ロック部の前記第１面または前記第２面と略平行な面とされている請求項１ないし請求項４のいずれか一項に記載の電線カバー。
【発明の詳細な説明】
【技術分野】
【０００１】
本発明は、電線カバーに関する。
【背景技術】
【０００２】
従来、ハウジングの後面側に電線カバーを装着して、ハウジングの後面から引き出された電線の束を所定方向に引き出すようにしたコネクタが知られている。この種の電線カバーにおいて、下記特許文献１に記載された電線カバーには、結束バンドを巻回して電線の束が固定されるようになっている。電線の束が固定される電線固定部は、電線カバーの電線引出口に設けられ、前面側が開放された断面略門型をなしている。電線の束は、結束バンドによって締め付けられ、電線固定部の内側に押し付けられて固定される。
【先行技術文献】
【特許文献】
【０００３】
【特許文献１】特開２００２−３４３４９７号公報
【発明の概要】
【発明が解決しようとする課題】
【０００４】
しかしながら、上記のような構成では、結束バンドの巻回作業時に、結束バンドが周方向にまわってしまい、電線の束を十分に締付けることが難しい場合がある。また、結束バンドを巻き付けた後においても、結束バンドが周方向にまわってしまい、例えば結束バンドのロック部がスペース上の制約がある側に突出してしまう虞がある。
【０００５】
本発明は上記のような事情に基づいて完成されたものであって、電線の束を結束する結束部材を周方向に位置決めすることが可能な電線カバーを提供することを目的とする。
【課題を解決するための手段】
【０００６】
本発明は、ハウジングの後面側に装着されて前記ハウジングの後面から引き出された電線の束を所定の方向に引き出させる電線カバーであり、前記電線の束に巻き付くバンド部と前記バンド部を所定の位置でロックするロック部とを有する結束部材によって前記電線の束が固定されるものであり、前記バンド部が、前記ロック部の外面のうち第１面から延出するとともに前記ロック部の外面のうち第２面から内部に挿入されてロックされるものとされ、前記ロック部の第１面に当接可能な第１位置決め部と、前記ロック部の第２面に当接可能な第２位置決め部と、を備えている。
【発明の効果】
【０００７】
本発明によれば、第１位置決め部によってロック部が結束部材の周方向における一方の側に移動することが制限され、第２位置決め部によってロック部が結束部材の周方向における他方の側に移動することが制限されるから、電線の束を結束する結束部材を周方向に位置決めすることができる。
【図面の簡単な説明】
【０００８】
【図１】本実施例における電線カバーであって、ハウジングに装着されて電線の束が固定された状態を示す断面図
【図２】電線カバーを示す斜視図
【図３】電線カバーを示す正面図
【図４】電線カバーを示す背面図
【図５】電線カバーを示す平面図
【図６】電線カバーを示す断面図
【図７】電線カバーの電線引出口側を示す側面図
【図８】電線カバーの閉塞側を示す側面図
【図９】ハウジングに装着されて電線の束が固定された状態の電線カバーの電線引出口側を示す側面図
【図１０】ハウジングに装着されて電線の束が固定された状態の電線カバーの断面図であって、図５のＡ−Ａ位置における断面に相当する断面図
【図１１】電線の束が固定された状態のバンド通道部を示す一部拡大正面図
【図１２】電線の束が固定された状態のバンド通道部を示す一部拡大背面図
【図１３】電線の束が固定された状態のバンド通道部を示す一部拡大平面図
【図１４】ハウジングに装着されて電線の束が反対側から固定された状態の電線カバーの電線引出口側を示す側面図
【図１５】ハウジングに装着されて細径電線の束が固定された状態の電線カバーを示す断面図
【図１６】ハウジングに装着されて細径電線の束が固定された状態の電線カバーの電線引出口側を示す側面図
【図１７】細径電線の束が固定された状態のバンド通道部を示す一部拡大正面図
【図１８】細径電線の束が固定された状態のバンド通道部を示す一部拡大背面図
【図１９】細径電線の束が固定された状態のバンド通道部を示す一部拡大平面図
【発明を実施するための形態】
【０００９】
本発明の好ましい形態を以下に示す。
本発明の電線カバーは、前記結束部材の通り道であるバンド通道部が、前記バンド部を前記ロック部の内部に案内するように傾斜した案内面を有しているものとしてもよい。このような構成によれば、ロック部の内部にバンド部をスムーズに挿入することができるから、結束部材を巻き付ける作業を容易に行うことができる。
【００１０】
また、本発明の電線カバーは、前記結束部材の通り道であるバンド通道部に、前記バンド部を通す全周閉じた孔部が設けられているものとしてもよい。このような構成によれば、結束部材がバンド通道部から外れないから、結束部材によって電線の束を確実に固定した状態に保持することができる。
【００１１】
また、本発明の電線カバーは、前記ロック部の前記第１面または前記第２面が方形状をなし、前記第１位置決め部または前記第２位置決め部が、前記第１面または前記第２面の周縁部のうち略直角をなす２つの縁部に当接可能なＬ字形状をなしているものとしてもよい。このような構成によれば、第１位置決め部または第２位置決め部が、第１面または第２面に対して縦横に当接するから、ロック部の姿勢を正しく保持することができる。
【００１２】
また、本発明の電線カバーは、前記第１位置決め部または前記第２位置決め部が、前記ロック部の前記第１面または前記第２面と略平行な面とされているものとしてもよい。このような構成によれば、第１位置決め部と第１面、または第２位置決め部と第２面とが、点や線ではなく面で当接するから、確実にロック部を位置決めすることができる。
【００１３】
＜実施例＞
以下、本発明を具体化した一実施例について、図１〜図１９を参照しつつ詳細に説明する。
本実施例における電線カバー１０は、ハウジング３０の後面側に装着されてハウジング３０の後面から引き出された電線３１の束を所定の方向に引き出させるものである。電線カバー１０には、結束部材４０によって電線３１の束が固定される。以下、各構成部材において、図１の左側を前方、右側を後方、また図３の上下方向を高さ方向、左右方向を幅方向として説明する。
【００１４】
ハウジング３０は、合成樹脂製であって、幅方向に長い略直方体状に形成されている。ハウジング３０には、電線３１の端末部に固着された端子金具３２が、後方から収容されるようになっている。
【００１５】
結束部材４０は、電線３１の束に巻き付くバンド部４１と、バンド部４１を所定の位置でロックするロック部４２とを備えている。バンド部４１は、電線３１の束を電線カバー１０に巻き付けて固定するために十分な長さ寸法を有している。
【００１６】
ロック部４２は、角ブロック形状をなし、内部には、バンド部４１が挿入される挿入穴４３が設けられている（図１０参照）。挿入穴４３には、バンド部４１に設けられた係止部４４に係止してバンド部４１の先端部を固定する係止受け部４５が設けられている。
【００１７】
ロック部４２の外面は方形状をなす６つの面によって構成されている。バンド部４１は、ロック部４２の外面のうち第１面４６から一方向に延出し、ロック部４２の外面のうち第２面４７から挿入穴４３に挿入されてロックされる。第１面４６と第２面４７とは略直交している。バンド部４１は、第１面４６のうち第２面４７に隣接する側の縁部（第１面４６と第２面４７とが交差する角部）から延出している。バンド部４１は、第２面４７の中央部から挿入穴４３に挿入される。
【００１８】
電線カバー１０は、合成樹脂製であって、全体として幅方向に長い箱状をなしている。電線カバー１０は、高さ方向における中心を境として対称な形状をなしている。
【００１９】
電線カバー１０は、ハウジング３０の後面の略全体をカバーするカバー本体１１を備えている。カバー本体１１は、幅方向に長い形状をなし、幅方向における一方の側は電線引出口１２によって開放され、他方の側は壁部１３によって閉塞されている（図１参照）。ハウジング３０の後面から後方に引き出された電線３１の束は、カバー本体１１の内部において略直角に屈曲され、電線引出口１２から外側（ハウジング３０の後面に対して略平行な方向）に引き出される。
【００２０】
カバー本体１１には、ハウジング３０の後端部に係止するロック片１４が複数設けられている。各ロック片１４は、カバー本体１１から前方に突出している。ロック片１４は、カバー本体１１の幅方向における両端部に設けられている。電線引出口１２側の端部には、高さ方向に一対のロック片１４が設けられている。
【００２１】
電線カバー１０には、結束部材４０が通されるバンド通道部１５が設けられている。バンド通道部１５は、ロック片１４と隣接して電線引出口１２に設けられている。バンド通道部１５は、電線３１の束の外面の周方向における一部分に沿うように湾曲した形状をなし、前面側が開放されている。
【００２２】
バンド通道部１５には、バンド通道部１５を内外方向（前後方向）に連通する切欠き部１６が設けられている。切欠き部１６は、バンド通道部１５の高さ方向における中間部（周方向における中間部）に設けられている。切欠き部１６は、後方から見ると、高さ方向に長い長方形状をなしている（図４参照）。
【００２３】
バンド通道部１５のうち高さ方向における両端部には、結束部材４０のロック部４２が位置決めされるロック固定部１７が設けられている。各ロック固定部１７は、全体として四半円弧状に湾曲した形状とされている。
【００２４】
ロック固定部１７は、図１０に示すように、切欠き部１６に隣接して設けられた円弧部１７Ａと、円弧部１７Ａの周方向における端（前端）から前方に突出する突出部１７Ｂとを備えている。
【００２５】
ロック固定部１７には、補強部１８が設けられている。補強部１８は、ロック固定部１７において外側に突出した形態をなしている。補強部１８は、バンド通道部１５の周方向に延びて設けられた一対の第１補強部１８Ｆと、一対の第１補強部１８Ｆ同士を連結する第２補強部１８Ｓとを備えている。
【００２６】
一対の第１補強部１８Ｆは、バンド部４１の両側縁に沿うように、バンド部４１の幅寸法に整合した間隔をあけ、互いに略平行をなして対向配置されている。第１補強部１８Ｆは、円弧部１７Ａの切欠き部１６側の端縁から、突出部１７Ｂの前端よりも若干中央側（後側）の位置まで、連続して形成された壁状をなしている。第１補強部１８Ｆの壁厚寸法（幅方向の寸法）は全体において略一定である。第１補強部１８Ｆの突出寸法は、前端において最も大きくされている。第１補強部１８Ｆの前端面は、前後方向に対して略直角をなしている。
【００２７】
一対の第１補強部１８Ｆのうち一方は、電線カバー１０の端縁に沿って設けられ、他方は、切欠き部１６に沿って設けられている（図４参照）。切欠き部１６に沿って設けられた第１補強部１８Ｆのうち高さ方向における中央部の外面（後面）は、カバー本体１１の外面と段差なく連なっている（図６参照）。電線カバー１０の端縁に沿って設けられた第１補強部１８Ｆは、切欠き部１６によって分断されている。
【００２８】
第２補強部１８Ｓは、一対の第１補強部１８Ｆの前端部の外側を連結している。第２補強部１８Ｓの前端面は、第１補強部１８Ｆの前端面と段差なく連なり、前後方向に対して略直角をなしている。
【００２９】
結束部材４０のバンド部４１は、一対の第１補強壁の間に形成された溝部２１に巻き付けられる。溝部２１の底面２２は、カバー本体１１の外側面よりも一段内側に位置している。
【００３０】
バンド通道部１５には、結束部材４０のバンド部４１を挿通可能な孔部１９が設けられている（図１０参照）。孔部１９は、一対の第１補強部１８Ｆ、第２補強部１８Ｓおよび突出部１７Ｂに囲まれてなり、全周が閉じた形態とされている。孔部１９は、前後方向（バンド通道部１５の周方向）に貫通して形成され、後述する第１位置決め部２４に開口している。
【００３１】
バンド通道部１５は、ロック部４２の第１面４６に当接可能な第１位置決め部２４と、ロック部４２の第２面４７に当接可能な第２位置決め部２５と、を備えている。
【００３２】
第１位置決め部２４は、補強部１８の前端面（第１補強部１８Ｆの前端面と第２補強部１８Ｓの前端面）によって構成され、Ｕ字形状をなしている（図３参照）。第１位置決め部２４は、前後方向に対して略直角をなす凹凸のない平坦な面とされている。第１位置決め部２４の幅寸法（図１１では左右方向の寸法）は、ロック部４２の第１面４６の幅寸法より大きく、第１位置決め部２４の内外方向の寸法（図１１では上下方向の寸法）は、ロック部４２の第１面４６の同方向の寸法よりも若干小さくされている。第１位置決め部２４は、第１面４６のバンド部４１の周り（バンド部４１の外側および幅方向の両側）に当接する。なお、第１位置決め部２４は、第１面４６の内外方向における中央部よりも外側に当接する。
【００３３】
第２位置決め部２５は、第２面４７の周縁部のうち略直角をなす２つの縁部に当接可能なＬ字形状をなしている（図１３参照）。第２位置決め部２５は、第１位置決め部２４に沿って幅方向に長い形状をなす横部２５Ａと、電線引出口１２の周縁部に沿って前後方向に長い形状をなす縦部２５Ｂとを備えている。横部２５Ａと縦部２５Ｂとは略直角をなしている。
【００３４】
横部２５Ａは、ロック固定部１７の突出部１７Ｂのうち第１位置決め部２４よりも前方に突出した部分の外側面によって構成されている。横部２５Ａは、バンド通道部１５の幅方向における端から孔部１９を超えた反対側に至って設けられている。縦部２５Ｂは、第１位置決め部２４からカバー本体１１の前端に至って設けられている。縦部２５Ｂは、横部２５Ａよりも細長い形状をなしている。
【００３５】
第１位置決め部２４と第２位置決め部２５とは略直交している（図１０参照）。第１位置決め部２４および第２位置決め部２５は、ロック部４２の第１面４６および第２面４７に対してそれぞれ略平行な面とされている。
【００３６】
バンド通道部１５には、結束部材４０のバンド部４１をロック部４２の挿入穴４３に案内するように傾斜した案内面２６が設けられている（図１０参照）。案内面２６は、第２位置決め部２５の内側に設けられている。案内面２６は、第２位置決め部２５の内側に位置する角部（突出部１７Ｂおよびカバー本体１１の角部）を斜めに切り欠いた形態で形成された傾斜面である。案内面２６は、突出部１７Ｂの端縁（図６では右端縁）からカバー本体１１の端縁（図６では下端縁）にわたって連続して設けられている。
【００３７】
次に、本実施例の電線カバー１０に電線３１の束を固定する作業の一例について説明する。
まず、電線３１の束をバンド通道部１５の内面に沿わせるようにして、結束部材４０を巻き付ける。最初に、結束部材４０のバンド部４１を、ロック固定部１７の孔部１９に前側から通して後方に引っ張る。このとき、図９または図１４に示すように、一対のロック固定部１７のうち作業を行いやすい側に位置するロック固定部１７の孔部１９にバンド部４１を通すことができる。バンド部４１を後方に引っ張ると、ロック部４２の第１面４６が第１位置決め部２４に前方から当接して止まる。このとき、ロック部４２の第２面４７は、第２位置決め部２５と対向した状態になる。
【００３８】
次いで、バンド部４１を他方のロック固定部１７側にまわし、他方のロック固定部１７の孔部１９に後方から通して前方に引っ張る。すると、バンド部４１は、弛みなく切欠き部１６に架け渡され、溝部２１の底面２２に密着する。孔部１９から前方に延出したバンド部４１を、電線３１の束の前面側に巻き、ロック部４２の挿入穴４３に挿入する。この際、バンド部４１の先端が挿入穴４３よりも後側またはカバー本体１１側に若干ずれていたとしても、バンド部４１の先端が案内面２６に当接し、案内面２６の傾斜によって挿入穴４３側に変位して挿入穴４３に挿入される。
【００３９】
ロック部４２の挿入穴４３を通ってロック部４２の反対側に突出したバンド部４１を強く引っ張ってバンド部４１を締め上げると、ロック部４２には内向きの力（バンド部４１の締め上げに対抗する力であって、図９では右向きの力）が作用する。しかしながら、ロック部４２の第２面４７が第２位置決め部２５に当接しているから、ロック部４２の内側への移動が制限される。したがって、結束部材４０は、周方向に位置ずれすることなく定位置に保持される。
【００４０】
電線３１の束は、前面側に巻かれたバンド部４１によって後方に押圧され、切欠き部１６に渡されたバンド部４１およびバンド通道部１５の内面に強く押し付けられる。電線３１の束を締め上げたバンド部４１は、ロック部４２によって緩みが制限され、締め付け状態に保持される。
【００４１】
以上により、電線カバー１０に電線３１の束を固定する作業が完了する。電線カバー１０に電線３１の束が固定された状態では、高さ方向の両端に位置する２つの孔部１９にバンド部４１が通されているから、電線３１の束が強く揺すられても、結束部材４０はバンド通道部１５から外れることなく、確実に固定された状態に保持される。また、バンド通道部１５に巻き付けられたバンド部４１は、電線カバー１０の後側に突出することなく溝部２１におさまっている。孔部１９にバンド部４１を通すことにより、結束部材４０がバンド通道部１５から外れることを防ぐことができる。
【００４２】
ところで、電線３１が、径寸法の小さい細径電線３１Ａである場合には、細径電線３１Ａの束の径寸法が小さくなる。このため、一対のロック固定部１７の孔部１９の両方にバンド部４１を通すと細径電線３１Ａの束とバンド通道部１５との間に大きな隙間ができ、細径電線３１Ａの束を充分に締め付けることができない。そこで、このような場合には、一対のロック固定部１７のうちいずれか一方のロック固定部１７の孔部１９にのみバンド部４１を通して細径電線３１Ａの束に巻き付けることができる。すなわち、図１６に示すように、結束部材４０のバンド部４１を、一方のロック固定部１７の孔部１９に前側から通して後方に引っ張ってロック部４２を位置決めしてから、切欠き部１６においてバンド通道部１５の内側にバンド部４１をまわして細径電線３１Ａの束に巻き付け、バンド部４１をロック部４２に差し入れて締め付ける。細径電線３１Ａの束は、バンド部４１によって一方のロック固定部１７の内面に強く押し付けられ、しっかりと固定される。
【００４３】
次に、上記のように構成された実施例の作用および効果について説明する。
本実施例の電線カバー１０は、ハウジング３０の後面側に装着されてハウジング３０の後面から引き出された電線３１の束を所定の方向に引き出させるものであり、電線３１の束に巻き付くバンド部４１とバンド部４１を所定の位置でロックするロック部４２とを有する結束部材４０によって電線３１の束が固定されるものである。バンド部４１は、ロック部４２の外面のうち第１面４６から延出するとともにロック部４２の外面のうち第２面４７から内部に挿入されてロックされるものとされ、電線カバー１０は、ロック部４２の第１面４６に当接可能な第１位置決め部２４と、ロック部４２の第２面４７に当接可能な第２位置決め部２５と、を備えている。
【００４４】
この構成によれば、第１位置決め部２４によってロック部４２が結束部材４０の周方向における一方の側に移動することが制限され、第２位置決め部２５によってロック部４２が結束部材４０の周方向における他方の側に移動することが制限されるから、電線３１の束を結束する結束部材４０を周方向に位置決めすることができる。
【００４５】
また、結束部材４０が固定されるバンド通道部１５が、バンド部４１をロック部４２の内部に案内するように傾斜した案内面２６を有している。この構成によれば、ロック部４２の内部にバンド部４１をスムーズに挿入することができるから、結束部材４０を巻き付ける作業を容易に行うことができる。
【００４６】
また、結束部材４０が固定されるバンド通道部１５に、バンド部４１を通す全周閉じた孔部１９が設けられている。この構成によれば、結束部材４０がバンド通道部１５から外れないから、結束部材４０によって電線３１の束を確実に固定した状態に保持することができる。
【００４７】
また、ロック部４２の第２面４７が方形状をなし、第２位置決め部２５が、第２面４７の周縁部のうち略直角をなす２つの縁部に当接可能なＬ字形状をなしている。この構成によれば、第２位置決め部２５が、第２面４７に対して縦横に当接するから、ロック部４２の姿勢を正しく保持することができる。
【００４８】
また、第１位置決め部２４および第２位置決め部２５が、ロック部４２の第１面４６および第２面４７と略平行な面とされている。この構成によれば、第１位置決め部２４と第１面４６、および第２位置決め部２５と第２面４７とが、いずれも点や線ではなく面で当接するから、確実にロック部４２を位置決めすることができる。
【００４９】
＜他の実施例＞
本発明は上記記述及び図面によって説明した実施例に限定されるものではなく、例えば次のような実施例も本発明の技術的範囲に含まれる。
（１）上記実施例では、ハウジング３０の後面に対して電線３１の束を略平行な方向に屈曲する電線カバー１０を例示したが、これに限らず、本発明は、例えば、電線の束をハウジングの後面から後方にまっすぐに引き出す形態の電線カバーにも適用することができる。
（２）上記実施例では、孔部１９が第１位置決め部２４に開口して設けられているが、これに限らず、孔部はバンド通道部のどの部位に設けてもよく、例えば第２位置決め部側に設けてもよい。
（３）上記実施例では、第１位置決め部２４が、第１補強部１８Ｆおよび第２補強部１８Ｓによって略Ｕ字形状をなしているが、これに限らず、第１位置決め部の形状は任意に変更することができ、例えば、第１面の２つの周縁部に当接可能なＬ字形状に形成してもよい。
（４）上記実施例では、第１位置決め部２４および第２位置決め部２５が、バンド通道部１５の周方向における両端部に設けられているが、これに限らず、第１位置決め部および第２位置決め部を、バンド通道部の周方向における一方の端部のみに設けても良い。
（５）上記実施例では、ロック部４２の第１面４６と第２面４７とが略直角をなしているが、これに限らず、ロック部の第１面と第２面とが略平行をなしている、すなわち、ロック部の外面のうち略平行をなして対向する一対の面の一方からバンド部が延出して他方から内部に挿入されるものであってもよい。
（６）上記実施例では、バンド通道部１５が、バンド部４１をロック部４２の内部に案内するように傾斜した案内面２６を有しているが、バンド通道部は、必ずしも案内面を有していなくてもよい。
（７）上記実施例では、孔部１９が全周閉じた形態とされているが、これに限らず、例えば、バンド部の幅寸法よりも小さい開放部分が孔部に形成されていてもよい。
（８）上記実施例では、第２位置決め部２５が、第２面４７の周縁部のうち略直角をなす２つの縁部に当接可能なＬ字形状をなしているが、これに限らず、第２位置決め部の形状は任意に変更することができる。
（９）上記実施例では、第１位置決め部２４および第２位置決め部２５が、ロック部４２の第１面４６および第２面４７と略平行な面とされているが、これに限らず、例えば第１位置決め部または第２位置決め部は、第１面または第２面に対して点または線で当接する形状であってもよい。
【符号の説明】
【００５０】
１０…電線カバー
１５…バンド通道部
１９…孔部
２４…第１位置決め部
２５…第２位置決め部
２６…案内面
３０…ハウジング
３１…電線
４０…結束部材
４１…バンド部
４２…ロック部
４６…第１面
４７…第２面
【図１】
2017059421.tif 000003
【図２】
2017059421.tif 000004
【図３】
2017059421.tif 000005
【図４】
2017059421.tif 000006
【図５】
2017059421.tif 000007
【図６】
2017059421.tif 000008
【図７】
2017059421.tif 000009
【図８】
2017059421.tif 000010
【図９】
2017059421.tif 000011
【図１０】
2017059421.tif 000012
【図１１】
2017059421.tif 000013
【図１２】
2017059421.tif 000014
【図１３】
2017059421.tif 000015
【図１４】
2017059421.tif 000016
【図１５】
2017059421.tif 000017
【図１６】
2017059421.tif 000018
【図１７】
2017059421.tif 000019
【図１８】
2017059421.tif 000020
【図１９】
2017059421.tif 000021